(57)【要約】      （修正有）【課題】細孔よりも小さな不純物でも確実に除去することが可能な濾過膜、浄水カートリッジおよび水処理装置を提供する。【解決手段】原水を濾過する複数の細孔３が設けられた複数の平膜１Ａ〜１Ｄを、隣接して配置されるものどうしの細孔３が互いに重ならないようにオフセット配置して積層させることにより、細孔よりも小さな不純物も確実に捕捉すると共に、逆洗浄時に濾過膜を伸縮させて、複数の平膜の表面あるいは細孔に堆積した不純物を効率的に除去する。【選択図】図１
2010214236.tif 000002
【特許請求の範囲】
【請求項１】
原水を濾過する複数の細孔が設けられた複数の平膜を、隣接して配置されるものどうしの細孔が互いに重ならないようにオフセット配置して積層させたことを特徴とする濾過膜。
【請求項２】
原水を濾過する複数の細孔が設けられた複数の平膜を、隣接して配置されるものどうしの細孔が互いに重ならないようにオフセット配置して積層させた濾過膜と、
前記濾過膜の外周縁部を保持する保持部材と、
水を通過させる孔部を有するとともに、前記濾過膜の原水が浸入する側と反対側の面を支持する支持プレートとを備え、
前記濾過膜は、当該濾過膜に伝達される水圧によって伸縮可能な材質で構成されていることを特徴とする浄水カートリッジ。
【請求項３】
原水を濾過する複数の細孔が設けられた複数の平膜を、隣接して配置されるものどうしの細孔が互いに重ならないようにオフセット配置して積層させた濾過膜と、
前記濾過膜の外周縁部を縮んだ状態で保持することで、前記濾過膜に伝達される水圧の有無により積層された平膜どうしの間隔を伸縮させることが可能な保持部材と、
水を通過させる孔部を有するとともに、前記濾過膜の原水が浸入する側と反対側の面を支持する支持プレートと
を備えることを特徴とする浄水カートリッジ。
【請求項４】
前記濾過膜には、前記積層された平膜どうしの細孔を位置決めする位置決め手段が設けられていることを特徴とする請求項２または請求項３に記載の浄水カートリッジ。
【請求項５】
前記位置決め手段は、前記積層された平膜どうしの互いに向かい合う面に配列されて設けられて、当該配列された一方の列に対して他方の列が部分的に重なり合うようにオフセット配置された凸部であることを特徴とする請求項４に記載の浄水カートリッジ。
【請求項６】
前記凸部は、互いに向かい合う先端部に向けて縮径していることを特徴とする請求項５に記載の浄水カートリッジ。
【請求項７】
原水を導入して少なくとも浄化した浄水を得る請求項２〜６に記載の前記浄水カートリッジを用いたことを特徴とする水処理装置。
【請求項８】
導入された原水を前記浄水カートリッジの上流側から当該浄水カートリッジに導水可能な第１水路と、
前記第１水路に接続して設けられるとともに、導入された原水を前記浄水カートリッジの下流側から当該浄水カートリッジに導水可能な第２水路と、
前記第１水路と前記第２水路との分岐点に設けられて、当該第１水路および第２水路のいずれか一方に原水を導水させる水路切替手段と
を備えることを特徴とする請求項７に記載の水処理装置。
【発明の詳細な説明】
【技術分野】
【０００１】
本発明は、例えば水道水等の原水中に含まれた不純物を除去する濾過膜、浄水カートリッジおよび水処理装置に関する。
【背景技術】
【０００２】
従来の浄水構造として、内部に濾過膜を有した浄水カートリッジに繊維状活性炭のシート状成型物を裁断した細片を充填するとともに、当該浄水カートリッジ内に原水を流水することで、原水中に含まれた不純物を除去するようにしたものが知られている（例えば、特許文献１参照）。
【先行技術文献】
【特許文献】
【０００３】
【特許文献１】特開平６−１０６１６２号公報
【発明の概要】
【発明が解決しようとする課題】
【０００４】
しかしながら、上記従来技術では、浄水カートリッジに設けられた濾過膜の細孔よりも小さな不純物を繊維状活性炭の細片で吸着できなかった場合に、当該浄水カートリッジの濾過膜を通過して除去できない恐れがある。
【０００５】
そこで、本発明は、細孔よりも小さな不純物でも確実に除去することが可能な濾過膜、浄水カートリッジおよび水処理装置を得ることを目的とする。
【課題を解決するための手段】
【０００６】
請求項１の発明にあっては、原水を濾過する複数の細孔が設けられた複数の平膜を、隣接して配置されるものどうしの細孔が互いに重ならないようにオフセット配置して積層させたことを特徴とする。
【０００７】
請求項２の発明にあっては、原水を濾過する複数の細孔が設けられた複数の平膜を、隣接して配置されるものどうしの細孔が互いに重ならないようにオフセット配置して積層させた濾過膜と、前記濾過膜の外周縁部を保持する保持部材と、水を通過させる孔部を有するとともに、前記濾過膜の原水が浸入する側と反対側の面を支持する支持プレートとを備え、前記濾過膜は、当該濾過膜に伝達される水圧によって伸縮可能な材質で構成されていることを特徴とする。
【０００８】
請求項３の発明にあっては、原水を濾過する複数の細孔が設けられた複数の平膜を、隣接して配置されるものどうしの細孔が互いに重ならないようにオフセット配置して積層させた濾過膜と、前記濾過膜の外周縁部を縮んだ状態で保持することで、前記濾過膜に伝達される水圧の有無により積層された平膜どうしの間隔を伸縮させることが可能な保持部材と、水を通過させる孔部を有するとともに、前記濾過膜の原水が浸入する側と反対側の面を支持する支持プレートとを備えることを特徴とする。
【０００９】
請求項４の発明にあっては、前記濾過膜には、前記積層された平膜どうしの細孔を位置決めする位置決め手段が設けられていることを特徴とする。
【００１０】
請求項５の発明にあっては、前記位置決め手段は、前記積層された平膜どうしの互いに向かい合う面に配列されて設けられて、当該配列された一方の列に対して他方の列が部分的に重なり合うようにオフセット配置された凸部であることを特徴とする。
【００１１】
請求項６の発明にあっては、前記凸部は、互いに向かい合う先端部に向けて縮径していることを特徴とする。
【００１２】
請求項７の発明にあっては、原水を導入して少なくとも浄化した浄水を得る請求項２〜６に記載の前記浄水カートリッジを用いたことを特徴とする水処理装置である。
【００１３】
請求項８の発明にあっては、導入された原水を前記浄水カートリッジの上流側から当該浄水カートリッジに導水可能な第１水路と、前記第１水路に接続して設けられるとともに、導入された原水を前記浄水カートリッジの下流側から当該浄水カートリッジに導水可能な第２水路と、前記第１水路と前記第２水路との分岐点に設けられて、当該第１水路および第２水路のいずれか一方に原水を導水させる水路切替手段とを備えることを特徴とする請求項７に記載の水処理装置である。
【発明の効果】
【００１４】
請求項１の発明によれば、細孔が重ならないようにオフセット配置して積層された濾過膜を用いるため、細孔より小さな不純物も確実に捕捉して除去することができる。
【００１５】
請求項２の発明によれば、浄水カートリッジの下流側から水を逆流させて濾過膜の洗浄を行う逆洗浄時に、簡単な構成で浄水カートリッジを逆洗浄することができるとともに、濾過膜が当該濾過膜に伝達される水圧によって伸縮可能な材質で構成されているため、逆洗浄時に濾過膜を伸縮させて複数の平膜の表面あるいは細孔に堆積された不純物を効率的に除去することができる。
【００１６】
請求項３の発明によれば、浄水カートリッジの下流側から水を逆流させて濾過膜の洗浄を行う逆洗浄時に、簡単な構成で浄水カートリッジを逆洗浄することができるとともに、濾過膜の外周縁部を保持する保持部材が濾過膜に伝達される水圧の有無により積層された平膜どうしの間隔を伸縮させることができるため、逆洗浄時に積層された平膜間に堆積された不純物を効率的に除去することができる。
【００１７】
請求項４の発明によれば、濾過膜には積層される平膜どうしの細孔を位置決めする位置決め手段が設けられているため、積層される平膜どうしの細孔をオフセット配置させた状態で維持することができる。
【００１８】
請求項５の発明によれば、位置決め手段が積層された平膜どうしの互いに向かい合う面に配列されて設けられて、当該配列された一方の列に対して他方の列が部分的に重なり合うようにオフセット配置された凸部であるため、凸部が互いの隙間に入り込もうと動作する簡単な構成で位置決めを行うことができる。
【００１９】
請求項６の発明によれば、請求項５に記載の作用効果に加え、凸部は互いに向かい合う先端部に向けて縮径しているため、自動的に凸部が互いの隙間に入り込もうと動作して、位置決めの精度を向上させることができる。
【００２０】
請求項７の発明によれば、上記作用効果を奏する浄水カートリッジを用いた水処理装置を得ることができる。
【００２１】
請求項８の発明によれば、浄水カートリッジを逆洗浄する構成の水処理装置を容易に得ることができる。
【図面の簡単な説明】
【００２２】
【図１】本発明の第１実施形態にかかる水処理装置を示す構成図である。
【図２】本発明の第１実施形態にかかる濾過膜の分解斜視図である。
【図３】本発明の第１実施形態にかかる浄水カートリッジを示した概略図であり、（ａ）は原水を濾過する通常時、（ｂ）は浄水カートリッジの下流側から水を逆流させて濾過膜の洗浄を行う逆洗浄時を示している。
【図４】本発明の第１実施形態にかかる濾過膜の位置決め手段を示した図である。
【図５】本発明の第２実施形態にかかる浄水カートリッジを示した概略図である。
【図６】本発明の第２実施形態にかかる位置決め手段を示した図である。
【発明を実施するための形態】
【００２３】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２４】
［第１実施形態］
図１〜図４は本発明の第１実施形態を示した図であり、図１は水処理装置を示した構成図、図２は濾過膜を示した図、図３は浄水カートリッジを示した概略図であり、（ａ）は原水を濾過膜で濾過する通常時を示した図、（ｂ）は浄水カートリッジの下流側から水を逆流させて濾過膜の洗浄を行う逆洗浄時を示した図、図４は濾過膜の位置決め手段を示した図である。
【００２５】
まずは、図１を参照して本実施形態にかかる水処理装置の概略構成について説明する。
【００２６】
本実施形態の水処理装置１００は、図示しない導水ポンプによって導かれた原水を一時貯水する原水槽２１と、原水槽２１内の原水を浄水カートリッジ２０に供給する原水ポンプ２２と、原水ポンプ２２によって導かれた原水を濾過する浄水カートリッジ２０と、浄水カートリッジ２０で濾過した処理水を貯水する処理水槽２３と、図示せぬ吸入口および吐出口を有して浄水カートリッジ２０を収納する収納部２６とを備えており、これらの部材が水路２５によって接続されている。なお、図中Ｖ１〜Ｖ３は各水路２５に設けられたバルブであり、図示せぬ制御部に接続されている。
【００２７】
この水路２５は、原水槽２１内の原水を浄水カートリッジ２０で濾過する通常時に、原水槽２１から原水ポンプ２２を介して浄水カートリッジ２０の上流側から当該浄水カートリッジ２０に導水可能な第１水路２５ａと、この第１水路２５ａに接続して設けられるとともに、原水を原水ポンプ２２を介して浄水カートリッジ２０の下流側から当該浄水カートリッジ２０に導水可能な第２水路２５ｂとを備えている。
【００２８】
かかる構成の本実施形態の水処理装置１００では、通常時には第１水路２５ａと第２水路２５ｂとの分岐点に設けられたバルブＶ１の第１水路２５ａ側を開け、原水ポンプ２２の加圧によって原水がバルブＶ２を介して収納部２６の吸入口（図示せぬ）に導入される。そして、収納部２６の内部に設けられた浄水カートリッジ２０の濾過膜１０で原水が濾過され、濾過された処理水が収納部２６の吐出口（図示せぬ）からバルブＶ３を介して処理水槽２３に送られる。
【００２９】
そして、予め設定された周期などによって、原水を浄水カートリッジ２０の下流側から逆流させて濾過膜１０の洗浄を行う。
【００３０】
濾過膜１０の逆洗浄時には、第１水路２５ａと第２水路２５ｂとの分岐点に設けられたバルブＶ１の第２水路２５ｂ側を開け、原水ポンプ２２の加圧によって原水がバルブＶ３を介して収納部２６の吐出口（図示せぬ）に導入される。そして、収納部２６の内部に設けられた浄水カートリッジ２０の濾過膜１０が原水で洗浄され、洗浄された排水が収納部２６の吸入口（図示せぬ）からバルブＶ２を介して外部に排出される。
【００３１】
すなわち、本実施形態では、第１水路２５ａと第２水路２５ｂとの分岐点に設けられたバルブＶ１が水路切替手段として機能することとなり、図示せぬ制御部からの信号を受けて原水を濾過する通常時と濾過膜１０を洗浄する逆洗浄時とで、第１水路２５ａと第２水路２５ｂに対する水路２５の切替を行っている。
【００３２】
このように、本実施形態の水処理装置１００では、原水を浄水カートリッジ２０の上流側から導水可能な第１水路２５ａと、浄水カートリッジ２０の下流側から導水可能な第２水路２５ｂと、第１水路２５ａおよび第２水路２５ｂのいずれか一方に原水を導水させる水路切替手段としてのバルブＶ１とを備える構成であるため、浄水カートリッジ２０を逆洗浄する構成の水処理装置１００を容易に得ることができる。
【００３３】
なお、本実施形態では、濾過膜１０の逆洗浄時に原水を利用して逆洗浄を行う構成としたが、例えば処理水槽２３に貯留された処理水や、洗浄用の浄化水を用いて逆洗浄を行う構成としてもよい。また、本実施形態では、濾過膜１０の逆洗浄を行う際に原水ポンプ２２を用いたが、例えば第２水路２５ｂを傾斜させて原水を逆流させたりしてもよい。
【００３４】
次に、図２〜図４を参照して本実施形態にかかる浄水カートリッジ２０について詳しく説明する。
【００３５】
本実施形態の浄水カートリッジ２０は、原水を濾過する濾過膜１０と、この濾過膜１０の外周縁部を保持する保持部材５と、水を通過させる複数の孔部７ａを有するとともに、濾過膜１０の原水が浸入する側と反対側の面を支持する支持プレート７とを備えている。
【００３６】
図２に示すように、本実施形態の濾過膜１０は、原水を濾過する複数の細孔３が設けられた略矩形状の平膜を複数（本実施形態では４つ）用いて、この複数の平膜１Ａ、１Ｂ、１Ｃ、１Ｄを重ね合わせて積層することによって構成される。
【００３７】
ここで、本実施形態では、この４つの平膜１Ａ〜１Ｄを積層させる際に、隣接して配置されるものどうしの細孔３が互いに重ならないようにオフセット配置して、浄水カートリッジ２０の保持部材５に固定して一体化している。なお、本実施形態では、活性炭繊維によって構成された平膜１Ａ〜１Ｄを用いている。
【００３８】
保持部材５は、本実施形態では、濾過膜１０の外形を型どる略矩形の筒状体で構成されており、この保持部材５の内壁部５ａに例えば接着などの手段により、濾過膜１０の外周縁部が固定される。
【００３９】
支持プレート７は、濾過膜１０と略同形状に形成されており、ケース５の内壁部５ａに圧入して設けられ、濾過膜１０の後面１０ａを接触した状態で支持する。
【００４０】
かかる構成の浄水カートリッジ２０では、図３（ａ）に示すように、原水が濾過される通常時には、濾過膜１０は隣接して配置されるものどうしの細孔３がオフセット配置されているため、原水中に含まれる不純物のうち平膜の細孔３よりも小さな不純物が例えば平膜１Ａの細孔３を通過してしまった場合でも、隣接して配置される平膜１Ｂの表面４で捕捉することができるため、細孔３より小さな不純物も確実に除去することが可能となる。
【００４１】
そして、浄水カートリッジ２０の下流側から水を逆流させて濾過膜１０の洗浄を行う逆洗浄時には、図３（ｂ）に示すように、濾過膜１０に伝達される水圧によって濾過膜１０が逆流方向に押される。この際、本実施形態では、活性炭繊維によって構成された濾過膜１０を用いているため、当該濾過膜１０が伸縮して複数の細孔３が拡径するとともに、各平膜１Ａ〜１Ｄが水圧によって個別に振動し、各平膜１Ａ〜１Ｄの表面４あるいは細孔３に堆積された不純物を除去することができる。
【００４２】
また、本実施形態の濾過膜１０には、積層される平膜１Ａ〜１Ｄどうしの細孔３を位置決めする位置決め手段が設けられている。
【００４３】
具体的には図４に示すように、本実施形態では、積層される平膜１Ａ〜１Ｄどうしの互いに向かい合う面（表面、裏面）４、６に位置決め手段としての凸部が設けられており、この凸部は平膜１Ａ〜１Ｄの繊維によって構成されている。
【００４４】
すなわち、本実施形態では、平膜１Ａ〜１ＤのＸ軸方向（図面左右方向）に延在してＹ軸方向（図面鉛直方向）に複数配列して設けられる一方の繊維に対して、Ｙ軸方向に延在してＸ軸方向に複数配列して設けられる他方の繊維を、例えば溶着等により網目状に接合することによって凸部を構成している。
【００４５】
そして、この繊維により構成された凸部を、隣接して配置される平膜（例えば１Ａ、１Ｂ）の互いに向かい合う面（表面、裏面）４、６に対向配置させるようにして、平膜１Ａの裏面６に配列された一方の列の凸部８ａに対して、平膜１Ｂの表面４に配列された他方の列の凸部８ｂが、部分的に重なり合うようにオフセット配置させるようにした。
【００４６】
したがって、隣接して配置される平膜（例えば１Ｂ、１Ｃ）間では、Ｘ軸方向（図面左右方向）に延在してＹ軸方向（図面鉛直方向）に複数配列して設けられる繊維が凸部となり、これら平膜１Ｂ、１Ｃの凸部が対向配置されて部分的に重なり合うようにオフセット配置されていることになる。
【００４７】
このように、本実施形態の濾過膜１０によれば、逆洗浄時に水圧によって隣接して配置される平膜（例えば１Ａ、１Ｂ）の間隔が開いてしまっても、部分的に重なり合うようにオフセット配置された凸部８ａ、８ｂが、逆洗浄が終わった際に互いの隙間に入り込もうと動作して、互いの隙間に入り込んだ状態で固定されることとなるため、確実に隣接して配置される平膜（例えば１Ａ、１Ｂ）の細孔３をオフセット配置させた状態で維持することが可能となる。なお、隣接して配置される平膜（例えば１Ｂ、１Ｃ）間では、Ｘ軸方向に延在してＹ軸方向に配列された凸部が、互いの隙間に入り込んだ状態で固定されることになる。
【００４８】
以上、詳細に説明してきたように、本実施形態では、原水を濾過する複数の細孔３が設けられた複数の平膜１Ａ〜１Ｄを、隣接して配置されるものどうしの細孔３が互いに重ならないようにオフセット配置して積層させた濾過膜１０を用いて浄水カートリッジ２０を構成している。そのため、原水中に含まれる不純物のうち平膜１の細孔３よりも小さな不純物が例えば平膜１Ａの細孔３を通過してしまった場合でも、隣接して配置される平膜１Ｂの表面４で捕捉することができるため、細孔３より小さな不純物も確実に除去することが可能となる。
【００４９】
また、本実施形態の濾過膜１０は、オフセット配置させた複数の平膜１Ａ〜１Ｄを積層させる構成であるため、例えば平膜１Ａ〜１ＤとしてＭＦ膜（精密濾過膜）を用いた場合には、比較的コストの低いＭＦ膜を用いて、当該ＭＦ膜よりも細孔の小さいＵＦ膜（限外濾過膜）と同等の除去効果を得ることも可能となるという利点もある。
【００５０】
また、本実施形態の濾過膜１０は、複数の平膜１Ａ〜１Ｄを積層させる構成であるため、本実施形態では活性炭繊維で構成された平膜１Ａ〜１Ｄを用いたが、例えば、導電性樹脂や脱臭剤、酸化チタンなどで平膜を構成してもよく、不純物のターゲットに応じて複数の平膜１Ａ〜１Ｄの材質を１つ１つ異ならせることによって原水中に含まれる様々な種類の不純物を除去することが可能な多機能膜とすることができる。
【００５１】
また、本実施形態の浄水カートリッジ２０は、上記濾過膜１０とこの濾過膜１０の外周縁部を保持する保持部材５と、水を通過させる孔部７ａを有するとともに、濾過膜１０の原水が浸入する側と反対側の面１０ａを支持する支持プレート７とを備えている。そのため、浄水カートリッジ２０の下流側から水を逆流させて濾過膜１０の洗浄を行う逆洗浄時に、簡単な構成で浄水カートリッジ２０を逆洗浄することができるとともに、濾過膜１０が当該濾過膜１０に伝達される水圧によって伸縮可能な材質で構成されているため、逆洗浄時に濾過膜１０を伸縮させて複数の平膜１Ａ〜１Ｄの表面４あるいは細孔３に堆積された不純物を効率的に除去することができる。
【００５２】
また、本実施形態の濾過膜１０には、積層される平膜１Ａ〜１Ｄどうしの細孔３を位置決めする位置決め手段が設けられており、この位置決め手段が積層された平膜１Ａ〜１Ｄの互いに向かい合う面（表面、裏面）４、６に配列されて設けられて、当該配列された一方の列に対して他方の列が部分的に重なり合うようにオフセット配置された凸部であるため、平膜１Ａ〜１Ｄの繊維によって構成された凸部が互いの隙間に入り込もうと動作する簡単な構成で位置決めを行うことができる。
【００５３】
［第２実施形態］
次に、本発明の第２実施形態について図面を参照して説明する。図５は本実施形態にかかる浄水カートリッジを示した概略図であり、（ａ）は原水を濾過膜で濾過する通常時を示した図、（ｂ）は原水を逆流させて濾過膜を洗浄する逆洗浄時を示した図、図６は本実施形態にかかる濾過膜の位置決め手段を示した図である。
【００５４】
本実施形態にかかる浄水カートリッジ４０は、上記第１実施形態にかかる浄水カートリッジ２０に対して、濾過膜１０を保持する保持部材５Ａと濾過膜１０の位置決め手段とが異なっている。
【００５５】
具体的には、本実施形態では、濾過膜１０を保持する保持部材５Ａとしてジャバラで構成された筒状体を用いており、この保持部材５Ａの内壁部５ａに当該保持部材５Ａを縮ませた状態で濾過膜１０の外周縁部を保持させるようにした。
【００５６】
そして、支持プレート７を濾過膜１０の後面１０ａ側から嵌め込んで当該濾過膜１０の後面１０ａを支持させるとともに、原水を濾過する通常時に保持部材５Ａの濾過膜１０が保持されない部位が水圧によって変形しないように支持プレート７で規制する。
【００５７】
かかる構成の浄水カートリッジ４０では、図５（ａ）に示すように、原水が濾過される通常時には、上記第１実施形態と同様に、濾過膜１０は隣接して配置されるものどうしの細孔３がオフセット配置されているため、原水中に含まれる不純物を効率的に除去することができる。
【００５８】
そして、浄水カートリッジ４０の下流側から水を逆流させて濾過膜１０の洗浄を行う逆洗浄時には、図５（ｂ）に示すように、濾過膜１０に伝達される水圧によって濾過膜１０が逆流方向に押される。この際、本実施形態では、ジャバラにより構成された保持部材５Ａを縮ませた状態で濾過膜１０の外周縁部を保持させるようにしているため、水圧によって保持部材５Ａが伸び、これによって積層された平膜１Ａ〜１Ｄの間隔が開いて平膜１Ａ〜１Ｄ間に堆積された不純物を除去することができる。
【００５９】
また、図６に示すように、本実施形態の濾過膜１０には、上記第１実施形態と同様に、積層される平膜１Ａ〜１Ｄどうしの細孔３を位置決めする位置決め手段としての凸部が設けられており、この凸部が平膜１Ａ〜１Ｄの繊維によって構成されており、互いに向かい合う先端部に向けて縮径している。
【００６０】
本実施形態では、例えば断面形状がテーパー形をした無機繊維を用いて、このテーパー状繊維を網目状に接合することで凸部を構成することができる。なお、その他の手段で断面がテーパー状の無機フィルターを構成してもよい。
【００６１】
したがって、本実施形態の濾過膜１０によれば、逆洗浄時に水圧によって隣接して配置される平膜（例えば１Ａ、１Ｂ）の間隔が開いてしまっても、部分的に重なり合うようにオフセット配置された凸部５０ａ、５０ｂが、逆洗浄が終わった際に互いの隙間に入り込もうと動作して、互いの隙間に入り込んだ状態で固定されることとなるため、確実に隣接して配置される平膜（例えば１Ａ、１Ｂ）の細孔３をオフセット配置させた状態で維持することが可能となる。なお、隣接して配置される平膜（例えば１Ｂ、１Ｃ）間では、Ｘ軸方向（図面左右方向）に延在してＹ軸方向（図面鉛直方向）に配列された凸部が、互いの隙間に入り込んだ状態で固定されることになる。
【００６２】
さらに、本実施形態の凸部によれば、互いに向かい合う先端部に向けて縮径しているため、平膜１Ａ〜１Ｄの繊維によって構成された凸部が逆洗浄が終わった際に自動的に互いの隙間に入り込もうと動作するため、位置決めの精度を向上させることができる。
【００６３】
以上、本発明の好適な実施形態について説明したが、本発明は上記実施形態には限定されず、種々の変形が可能である。例えば、上記第２実施形態では、ジャバラによって構成された保持部材５Ａを用いたが、これに限定されず、バネやゴム等の材質で保持部材５Ａを構成してもよい。また、上記実施形態では、平膜の繊維によって位置決め手段としての凸部を構成したが、別部材で平膜に凸部を設けるようにしてもよい。
【符号の説明】
【００６４】
１Ａ〜１Ｄ  平膜
３  細孔
５、５Ａ  保持部材
７  支持プレート
７ａ  孔部
１０  濾過膜
２５ａ  第１水路
２５ｂ  第２水路
１００  水処理装置
Ｖ１  バルブ（水路切替手段）
【図１】
2010214236.tif 000003
【図２】
2010214236.tif 000004
【図３】
2010214236.tif 000005
【図４】
2010214236.tif 000006
【図５】
2010214236.tif 000007
【図６】
2010214236.tif 000008